(57)【要約】      （修正有）【課題】ランドセル、リュックサック、ディバッグなど背のう部本体を人の背中に背負ったり、人の背中から離脱させる場合における背負いベルトの脱着操作性の向上を図り、背のう部本体の背当て部の全体が人の背中に密着する良好な装着状態を確保する背負いベルトの取付構造を提供する。【解決手段】ランドセル１は人の背中に密着状態で接する背当て部３を備え、内部に収納部を備える背のう部本体５を備えてなる。ランドセル１は、人の左右の肩部に背のう部本体５を背負わせるべく掛け回され、背のう部本体５の背当て部３の上方にその上端部を支持し、背のう部本体５の背当て部３の下端部側を支持する左右一対の各背負いベルト７を備える。【選択図】図２
0003169184.tif 000002
【実用新案登録請求の範囲】
【請求項１】
ランドセル、リュックサック、ディバッグなど人の背中に密着状態で接し、支持される背当て部を備え、人の背中に背負われて内部に収納部を備えてなる背のう部本体と、人の左右の肩部に該背のう部本体を背負わせるべく掛け回され、背のう部本体の背当て部上方にその上端部を支持し、背のう部本体の背当て部下方にその下端部側を支持する左右一対の各背負いベルトと、を備えてなる背のうにおける背負いベルトの取付構造において、
背のう部本体の背当て部の下方に固定され、内部に略円筒形の空間からなる巻取り収容部を備えるケーシングと、
ケーシングの巻取り収容部の中心位置に配設され、上記背のう部本体の背当て部の上方にその上端部を支持し、結着される背負いベルトの下端部を、巻取り収容部に備えられる開口部より巻取り収容部内へと引き込むように導入して結着し、巻取り収容部内において背負いベルトの下端部を巻取り可能に遊支される巻取り軸と、
上記ケーシングの巻取り収容部に隣設する状態で付設され、備えられる空間の内部において、巻取り収容部内の巻取り軸に対し、背負いベルトを肩部に掛け回し、背のう部本体が人の背中に背負われる状態において、背負いベルトの下端部を巻取り収容部内へ引き込む方向での回動力を作用し、背負いベルトを背のう部本体の背当て部の全体が人の背中に密着する方向に作用するよう付勢させることを可能とするゼンマイバネと、
を備えることを特徴とする背負いベルトの取付構造。
【請求項２】
ゼンマイバネは、巻取り収容部に付設される空間内において、巻取り収容部内の巻取り軸と同一軸線上において巻取り軸に連結される状態で支持される支持軸に備えられ、該支持軸に対し連結状態にある巻取り軸が、背負いベルトの下端部を巻取り収容部内へ引き込む方向での回動力を作用するよう支持軸の軸回りに配設してなる請求項１に記載の背負いベルトの取付構造。
【請求項３】
左右一対の各背負いベルトは、背のう部本体の背当て部の上側に備えられる連結体にその上端部を結合してなる上ベルトと、背のう部本体の背当て部の下方側に支持され、該下方側から延びる下ベルトとからなり、上ベルトの下端と下ベルトの上端とは掛け回す肩部のサイズに対応し、その結合位置を可変にし、長さ調整可能に相互に連結可能とされるものである請求項１に記載の背負いベルトの取付構造。
【請求項４】
上ベルトの下端と下ベルトの上端との連結は、上ベルトの下端あるいは下ベルトの上端のいずれかに他のベルトの端部を挿通可能とする連結環を支持させることとし、連結環に挿通される他のベルトの端部の連結環に対する止着結合位置を可変にし、上下のベルトを長さ調整可能に相互に連結させることとしてなる請求項１に記載の背負いベルトの取付構造。
【考案の詳細な説明】
【技術分野】
【０００１】
本考案は、ランドセル、リュックサック、ディバッグなど、人の背中に背負われる背のう部本体を、人の左右の肩部に背負わせるべく掛け回され、背のう部本体に支持され、取付けられる背のうにおける背負いベルトの取付構造に関する。
【背景技術】
【０００２】
ランドセル、リュックサック、ディバッグなどの背のうには、様々な形状や構造のものが存在するが、その多くは人の背中に密着状態で接し、支持される背当て部を備え、人の背中に背負われて内部に収納部を備えてなる背のう部本体と、人の左右の肩部に該背のう部本体を背負わせるべく掛け回され、背のう部本体の背当て部上方にその上端部を支持し、背のう部本体の背当て部下方にその下端部側を支持する左右一対の各背負いベルトと、を備えるようにしている。
【０００３】
また、左右一対の各背負いベルトは、背のう部本体の背当て部の上側に備えられる連結体にその上端部を結合してなり、一方背のう部本体の背当て部の下方側に支持される下端側は、通常支持される背のう部本体の背当て部の下方に対し、その長さを調整可能に連結される。
【０００４】
また、背負いベルトの中には、下記特許文献１や２に示すように、背のう部本体の背当て部の上側に備えられる連結体にその上端部を結合してなる上ベルトと、背のう部本体の背当て部の下方側に支持され、該下方側から延びる下ベルトとにより構成し、上ベルトの下端と下ベルトの上端とは掛け回す肩部のサイズに対応し、その結合位置を可変にし、長さ調整可能に相互に連結可能としたものも存在する。すなわち、こうした構成からなる背負いベルトは、上ベルトの下端と、下ベルトの上端との連結を、上ベルトの下端あるいは下ベルトの上端のいずれかに他のベルトの端部を挿通可能とするバックル状の連結環を支持させ、連結環が支持されたベルトに対する他方のベルトの端部にはその長さ方向において所定間隔をもって複数の止着孔を穿設し、他方のベルトを連結環に挿通させて連結環に支持される止着針を任意の長さ位置にある止着孔に止着して行うようにしている。これにより連結環に挿通される他のベルトの端部の連結環に対する止着結合位置を可変にし、上下のベルトを長さ調整可能に相互に連結させることを可能にしている。
【先行技術文献】
【特許文献】
【０００５】
【特許文献１】実用新案登録第３１３３３９９号公報
【特許文献２】特開２００８−５４９４０号公報
【考案の概要】
【考案が解決しようとする課題】
【０００６】
ところで上記各特許文献１や２に代表される従来の背負いベルトは、上ベルトの下端と下ベルトの上端との止着結合位置を調整することで、背のう部本体に対する背負いベルトの全体長さを可変に調整することを可能としているが、背のう部本体の背当て部全体を人の背中に密着状態で接するようにするためには、その全体長さをできる限り短く設定することが望まれる。
【０００７】
すなわち、背負いベルトの全体長さを必要以上に長くしてしまうと、背当て部の上方位置が人の背中から離れる方向での力が作用し、特にこの現象は背のう部本体の収納部内に高荷重の物を収納させたり、また収納部の底の方に重い物を収納させる場合に生じ易く、背のう部本体の重心が下の方になるにしたがって発生し易いものとされていた。
【０００８】
ただ、こうした不具合を解消するため、背負いベルトの全体長さを必要以上に短くしてしまうと、背のう部本体を背負う際の、背負いベルトの人の肩部に対する掛け回しの操作が行いにくくなる不具合があった。
【０００９】
本発明は、こうした従来の不具合に着目してなされたものであり、ランドセル、リュックサック、ディバッグなどの背のうにあって、背のう部本体を人の背中に背負ったり、人の背中から離脱させる場合における背負いベルトの脱着操作性の向上を図り、背のう部本体の背当て部の全体が人の背中に密着する良好な装着状態を確保することを目的としている。
【課題を解決するための手段】
【００１０】
上記目的を達成するため、本発明の請求項１は、ランドセル、リュックサック、ディバッグなど人の背中に密着状態で接し、支持される背当て部を備え、人の背中に背負われて内部に収納部を備えてなる背のう部本体と、人の左右の肩部に該背のう部本体を背負わせるべく掛け回され、背のう部本体の背当て部上方にその上端部を支持し、背のう部本体の背当て部下方にその下端部側を支持する左右一対の各背負いベルトと、を備えてなる背のうにおける背負いベルトの取付構造において、背のう部本体の背当て部の下方に固定され、内部に略円筒形の空間からなる巻取り収容部を備えるケーシングと、ケーシングの巻取り収容部の中心位置に配設され、上記背のう部本体の背当て部の上方にその上端部を支持し、結着される背負いベルトの下端部を、巻取り収容部に備えられる開口部より巻取り収容部内へと引き込むように導入して結着し、巻取り収容部内において背負いベルトの下端部を巻取り可能に遊支される巻取り軸と、上記ケーシングの巻取り収容部に隣設する状態で付設され、備えられる空間の内部において、巻取り収容部内の巻取り軸に対し、背負いベルトを肩部に掛け回し、背のう部本体が人の背中に背負われる状態において、背負いベルトの下端部を巻取り収容部内へ引き込む方向での回動力を作用し、背負いベルトを背のう部本体の背当て部の全体が人の背中に密着する方向に作用するよう付勢させることを可能とするゼンマイバネと、を備えることを特徴とする背負いベルトの取付構造としている。
【００１１】
また本発明の請求項２は上記ゼンマイバネが、巻取り収容部に付設される空間内において、巻取り収容部内の巻取り軸と同一軸線上において巻取り軸に連結される状態で支持される支持軸に備えられ、該支持軸に対し連結状態にある巻取り軸が、背負いベルトの下端部を巻取り収容部内へ引き込む方向での回動力を作用するよう支持軸の軸回りに配設してなる請求項１に記載の背負いベルトの取付構造としている。
【００１２】
また本発明の請求項３は左右一対の各背負いベルトが、背のう部本体の背当て部の上側に備えられる連結体にその上端部を結合してなる上ベルトと、背のう部本体の背当て部の下方側に支持され、該下方側から延びる下ベルトとからなり、上ベルトの下端と下ベルトの上端とは掛け回す肩部のサイズに対応し、その結合位置を可変にし、長さ調整可能に相互に連結可能とされるものである請求項１に記載の背負いベルトの取付構としている。
【００１３】
また本発明の請求項４は、上ベルトの下端と下ベルトの上端との連結が、上ベルトの下端あるいは下ベルトの上端のいずれかに他のベルトの端部を挿通可能とする連結環を支持させることとし、連結環に挿通される他のベルトの端部の連結環に対する止着結合位置を可変にし、上下のベルトを長さ調整可能に相互に連結させることとしてなる請求項１に記載の背負いベルトの取付構造としている。
【考案の効果】
【００１４】
本発明によれば、ランドセル、リュックサック、ディバッグなどの背のうにあって、背のう部本体を人の背中に背負ったり、人の背中から離脱させる場合における背負いベルトの脱着操作性の向上を図り、背のう部本体の背当て部の全体が人の背中に密着する良好な装着状態を確保することが可能となる。
【図面の簡単な説明】
【００１５】
【図１】本発明の実施形態に係る背負いベルトの取付構造を採用したランドセルの全体斜視図である。
【図２】ランドセルの一部破断して示す側面図である。
【図３】背当て部の内側に固定されるケーシングの分解斜視図である。
【図４】ケーシングの組立状態を示す斜視図である。
【図５】図４のＶ−Ｖ線に沿う断面図である。
【図６】図４のＶＩ−ＶＩ線に沿う断面図である。
【図７】実施形態に係るランドセルを背負った状態を示す側面図である。
【考案を実施するための形態】
【００１６】
以下、本発明の一実施形態としての背負いベルトの取付構造を、図１ないし図７に示すランドセル１を例に説明する。背のうとしてのランドセル１は、図７に示すように人２の背中に密着状態で接し、支持する平板状の背当て部３を備え、人２の背中に背負われて内部に収納部４を備えてなる背のう部本体５を有する。
【００１７】
すなわち、全体函状をなす背のう部本体５は、蓋板６を図１の矢印Ａ方向に開くことで内部の収納部４を上部に開口することを可能とし、収納部４内に教科書や学用品などを収納可能にしている。ランドセル１は、人２の左右の肩部に背のう部本体５を背負わせるべく掛け回され、背のう部本体５の背当て部３の上方にその上端部を支持し、背のう部本体５の背当て部３の下端部側を支持する左右一対の各背負いベルト７を備える。
【００１８】
左右の各背負いベルト７は、背のう部本体５の背当て部３の上側に備えられる連結体９にその上端部を結着してなる上ベルト７Ａと、背のう部本体５の背当て部３の下方側から延びる下ベルト７Ｂとからなる。上ベルト７Ａと下ベルト７Ｂとは、掛け回す人の肩部のサイズに対応し、その結合位置を可変にし、長さ調整可能に相互に連結可能とされる。
【００１９】
上ベルト７Ａは、上記のように背のう部本体５の背当て部３の上側に配設し、支持される連結体９に、その上端部を連結して結合してなり、左右に備えられる各連結体９は背当て部３の上側中心を基準としてそれぞれ外方（図１の矢印Ｂ方向）に向くように備えられる。
【００２０】
上ベルト７Ａの下端と下ベルト７Ｂの上端との連結は、下ベルト７Ｂの上端に支持されるバックル状の連結環１０に、上ベルト７Ａの下端側を挿通させ、上ベルト７Ａの下端側における任意の長さ位置を連結環１０に止着し、結合することにより行うようにしている。
【００２１】
すなわち、上ベルト７Ａの下端側を挿通可能とする連結環１０には止着針１１が支持され、この止着針１１を、上ベルト７Ａの下端側にその長さ方向において所定間隔をもって複数穿設される止着孔１２のうち、任意の長さ位置にある止着孔１２に止着するようにしている。
【００２２】
これにより、連結環１０に挿通される上ベルト７Ａの下端部の連結環１０に対する止着結合位置を可変にし、上下のベルト７Ａ、７Ｂを長さ調整可能に相互に連結させることが可能となり、背負いベルト７の全体の長さを人２の肩部のサイズに合わせて調整することが可能となる。
【００２３】
背のう部本体５には、図１および図２に示すように、背当て部３を構成する革材の下方端の内側に、ビス１３を用いてケーシング１４が止着され、固定される（図３，図４参照）。ケーシング１４には、図３に示すように内部に略円筒形の空間からなる巻取り収容部１５が備えられる。巻取り収容部１５は、背負われる人２の背中に向けて開口されるスリット状の開口部１６が備えられる。略円筒形をなす巻取り収容部１５の軸線方向（図３のＸ方向）の一端に備えられる開口には、円板状の内蓋体１７が取着される。内蓋体１７には、さらに間に円筒形のスペーサ１８を介装される状態で同じく円板状の外蓋体１９が取着され、内蓋体１７、スペーサ１８、外蓋体１９のそれぞれは、ネジ２０により、ケーシング１４に一体に取着される（図４参照）。
【００２４】
内蓋体１７が取着され、ケーシング１４の内部に略円筒形の空間を画成して構成される巻取り収容部１５には、長手方向をその軸線方向（図３のＸ方向）に沿って備える巻取り軸２１が配設される。巻取り軸２１は一端部を内蓋体１７の中心に形成される軸孔２２Ａに、他端部をケーシング１４における内蓋体１７の対向位置に形成される軸孔２２Ｂに遊支され、軸孔２２Ｂの外側における巻取り軸２１の他端部にはストッパ部材２３が取着される。
【００２５】
巻取り収容部１５内においては、連結される上ベルト７Ａと下ベルト７Ｂのうち下ベルト７Ｂの下端部が、開口部１６より巻取り収容部１５内へと引き込むように導入され、導入される下ベルト７Ｂの下端部は軸線をＸ方向に沿って配設してなる巻取り軸２１に結着される。巻取り軸２１に対する下ベルト７Ｂの下端部の結着は、巻取り軸２１において備えられるスリット２１Ａに下ベルト７Ｂの下端部を挟持させて行われる（図３参照）。
【００２６】
こうして、内蓋体１７の外方にスペーサ１８を介装される状態で外蓋体１９を取着してなるケーシング１４には（図４，図６参照）、巻取り収容部１５に隣設する状態でスペーサ１８の内部に空間２４が画成される。この空間２４の内部には、巻取り軸２１と連結され、その軸線を収容部１５内の巻取り軸２１と同一軸線上に支持する支持軸２５が備えられ、該支持軸２５は一端部を外蓋体１９に形成される軸孔１９Ａに遊支している。
【００２７】
ケーシング１４に取着されるスペーサ１８の内部に画成される空間２４には、図３に示すように全体渦巻き形状のゼンマイバネ２６が配設され、該ゼンマイバネ２６は中心側の端部を支持軸２５の中心に備えられるスリット２５Ａに結着し、また外側の端部をスペーサ１８に形成される掛止部１８Ａに掛止し、支持してなる。すなわち、ゼンマイバネ２６は一方の端部を支持軸２５に、他方の端部をスペーサ１８に支持させ、支持軸２５の軸回りに支持させることを可能にし、この結果支持軸２５に矢印θ方向の回動力を作用させることとし、さらにこれに連結する巻取り軸２１にも矢印θ方向の回動力を作用させることを可能にしている。
【００２８】
このようにして背当て部３の内側に固定されるケーシング１４内の巻取り軸２１において、連結される上ベルト７Ａと下ベルト７Ｂにて構成される背負いベルト７のうち、下ベルト７Ｂの下端側を開口１６から巻取り収容部内１５へ引き込む方向（θ方向）での回動力を作用することとなる。すなわちゼンマイバネ２５が、背負いベルト７を背のう部本体５の背当て部３の全体を人２の背中に密着する方向（図７の矢印Ｄ方向）に作用すべく付勢させることが可能となる。
【００２９】
すなわち、こうした構造からなるケーシング１４を備えることによって、背のう部本体５を人２の背中に背負ったり、人２の背中から離脱させる場合における背負いベルト７の脱着操作性の向上を図り、背のう部本体５の背当て部３の全体が人２の背中に密着する良好な装着状態を確保することが可能となる。
【００３０】
こうした構造からなる背負いベルト７と背のう部本体５は、上記のようなランドセル１に限らず、リュックサックやディバッグにおいても採用可能とされる。
【００３１】
なお、上記実施形態では、下ベルト７Ｂの上端部において連結環１０を備え、上ベルト７Ａの下端側において所定間隔をもって止着孔１２を穿設し、連結環１０に対して上ベルト７Ａの下端側を挿通させて両者を結合させるようにしているが、上ベルト７Ａの下端部に連結環を備え、該連結環に下ベルト７Ｂの上端部を挿通させて両者を結合するように構成してもよい。
【００３２】
さらに、上記実施形態では、背負いベルト７を上ベルト７Ａと下ベルト７Ｂとにより構成し、下ベルト７Ｂの上端部において連結環１０を備え、上ベルト７Ａの下端側において所定間隔をもって止着孔１２を穿設し、連結環１０に対して上ベルト７Ａの下端側を挿通させて両者を結合させるようにしているが、こうした構成によらず背負いベルト７を１本のベルトにより構成してもよい。
【産業上の利用可能性】
【００３３】
本発明は、ランドセル、リュックサック、ディバッグなど人の背中に背負われる背のう部本体を備え、背のう部本体を人の左右の肩部に背負わせるべく掛け回される背のう部本体に支持され、取付けられる背負いベルトを備える様々なタイプの背のうに応用することが可能となる。
【符号の説明】
【００３４】
１                      ランドセル（背のう）
２                      人
３                      背当て部
４                      収納部
５                      背のう部本体
６                      蓋板
７                      背負いベルト
７Ａ                    上ベルト
７Ｂ                    下ベルト
８                      引っ張りスプリング
９                      連結体
１０                    連結環
１１                    止着針
１２                    止着孔
１３                       ビス
１４                    ケーシング
１５                    巻取り収容部
１６                    開口部
１７                    内蓋体
１８                    スペーサ
１９                    外蓋体
２０                    ネジ
２１                    巻取り軸
２１Ａ，２５Ａ          スリット
１９Ａ，２２Ａ，２２Ｂ  軸孔
２３                    ストッパ部材
２４                    空間
２５                    支持軸
２６                    ゼンマイバネ
【図１】
0003169184.tif 000003
【図２】
0003169184.tif 000004
【図３】
0003169184.tif 000005
【図４】
0003169184.tif 000006
【図５】
0003169184.tif 000007
【図６】
0003169184.tif 000008
【図７】
0003169184.tif 000009